(57)【要約】  【課題】  発明は、少ないコストで多種類の浄化槽を製造することが出来るディスポーザ排水対応型浄化槽を提供することを目的とする。  【解決手段】  本発明は、地下埋設型の小規模浄化槽を用いてディスポーザ排水を含む生活排水の処理を行うディスポーザ排水対応型浄化槽であって、この外槽には、ディスポーザ排水対応型浄化槽の処理対象人員の１．４倍以上２．０倍以下に相当する上記小規模浄化槽の人槽の外槽を用いるディスポーザ排水対応型浄化槽である。  【選択図】  図６
2006043556.tif 000002
【特許請求の範囲】
【請求項１】
地下埋設型の小規模浄化槽を用いてディスポーザ排水を含む生活排水の処理を行うディスポーザ排水対応型浄化槽であって、この外槽には、ディスポーザ排水対応型浄化槽の処理対象人員の１．４倍以上２．０倍以下に相当する上記小規模浄化槽の人槽の外槽を用いるディスポーザ排水対応型浄化槽。
【請求項２】
地下埋設型の小規模浄化槽であり、流量調整機能を有する小規模浄化槽を用いてディスポーザ排水を含む生活排水の処理を行うディスポーザ排水対応型浄化槽であって、この外槽にはディスポーザ排水対応型浄化槽の処理対象人員の１．０倍超え１．５倍以下に相当する上記小規模浄化槽の人槽の外槽を用いるディスポーザ排水対応型浄化槽。
【請求項３】
請求項１又は２において、槽内に好気処理槽を備え、この好気処理槽が、好気反応部と濾過部とを有しており、好気反応部と濾過部との容量比が６．５〜９．０：３．５〜１．０であることを特徴とする浄化槽。
【発明の詳細な説明】
【技術分野】
【０００１】
本発明は、屎尿、その他の生活排水、厨房排水、ディスポーザ排水等又はこれらの合併汚水（以下、汚水ともいう）を処理対象とし、特に処理対象人員よりも大きい人槽の外槽を用いて処理を行う汚水浄化槽に関する。
【背景技術】
【０００２】
浄化槽は、短期間で、且つ比較的少ない費用で設置できるという特長を有することから、特に都市郊外や中山間地域等の人口散在地域において、下水道に代わる排水処理システムとして用いられている。この浄化槽の中で、最も多く用いられているものは、一般的な下水道放流水と同じ処理性能を有する、生物化学的酸素要求量（以下、ＢＯＤと言う）２０ｍｇ／Ｌの浄化槽（以下、普及型と言う）である。一方、湖沼や内湾等の閉鎖性水域や、浄化槽の放流先が水道水源の近くにある地域等では、有機物に加えて、窒素、更にはリンを除去する高度処理型浄化槽が用いられている。また、最近では、日常生活の中で発生する生ごみを、ディスポーザで砕いて浄化槽に流入させて処理するディスポーザ排水対応型浄化槽も市場に出回ってきており、その利便性から今後普及していくことが期待されている。
一般に、これらの浄化槽は工場において生産され、その後、浄化槽を設置する現場に運ばれて埋設されるため、浄化槽には一定の強度、耐久性が求められている。通常、浄化槽の外槽の材質には、強度、耐久性に加えて、成形加工のしやすさも考慮し、ＦＲＰやジシクロペンタジエン等の樹脂材料が用いられている。これらの浄化槽の外槽は、浄化槽の種類、人槽毎に必要な型を製造し、この型を用いて量産されていた。
【特許文献１】特開２００１−２８６８７８
【発明の開示】
【発明が解決しようとする課題】
【０００３】
しかしながら、従来の方法で、例えば、普及型（処理性能ＢＯＤ２０ｍｇ／Ｌ）、高度処理型、ディスポーザ対応型の３種類について、家庭用浄化槽（５、７、１０人槽）を生産しようとする場合には、浄化槽の種類が３つで人槽の違いが３つあるので、合計９種類の型が必要となり、型の製造や維持等にかかるコスト負担が非常に大きいものとなっていた。
本発明は、少ないコストで多種類の浄化槽を製造することが出来るディスポーザ排水対応型浄化槽を提供することを課題とする。
【課題を解決するための手段】
【０００４】
上記課題を達成するため、本発明では次の構成をとった。
（１）本発明は、地下埋設型の小規模浄化槽を用いてディスポーザ排水を含む生活排水の処理を行うディスポーザ排水対応型浄化槽であって、この外槽には、ディスポーザ排水対応型浄化槽の処理対象人員の１．４倍以上２．０倍以下に相当する上記小規模浄化槽の人槽の外槽を用いるディスポーザ排水対応型浄化槽である。
（２）本発明は、地下埋設型の小規模浄化槽であり、流量調整機能を有する小規模浄化槽を用いてディスポーザ排水を含む生活排水の処理を行うディスポーザ排水対応型浄化槽であって、この外槽にはディスポーザ排水対応型浄化槽の処理対象人員の１．０倍超え１．５倍以下に相当する上記小規模浄化槽の人槽の外槽を用いるディスポーザ排水対応型浄化槽である。
項（１）又は（２）において、槽内に好気処理槽を備え、この好気処理槽が、好気反応部と濾過部とを有しており、好気反応部と濾過部との容量比が６．５〜９．０：３．５〜１．０であることを特徴とする浄化槽である。
【発明の効果】
【０００５】
本発明によれば、少ない型で多種類の浄化槽を製造することができるので、型の製造や維持等にかかるコスト負担を軽減することが出来る。
【発明を実施するための最良の形態】
【０００６】
本発明にて述べる小規模浄化槽とは、処理対象人員（Ｎ）が５人以上５０人以下の浄化槽を示している。
また、処理対象人員（Ｎ）とは、「建築物の用途別による屎尿浄化槽の処理対象人員算定基準（ＪＩＳ  Ａ  ３３０２−２０００）」に基づいて算出される値であり、浄化槽の大きさを選定する際の基準となる値である。例えば、建築用途が住宅の場合においては、建築物の延べ面積＜１３０ｍ２の場合、Ｎ＝５人、建築物の延べ面積≧１３０ｍ２の場合、Ｎ＝７人、二世帯住宅（台所及び風呂が２ヶ所以上のもの）の場合、Ｎ＝１０人というように算出される。
人槽とは、その処理対象人員分の汚水を処理するための浄化槽の大きさを表すものであり、例えば、処理対象人員（Ｎ）＝５人の施設には、５人槽の浄化槽が用いられる。
また、外槽とは、浄化槽本体を形成している一番外側の槽を差すものである。
【０００７】
次に、ディスポーザ及びディスポーザ排水について説明する。
ディスポーザとは、水を流しながら生ごみを砕いて排水管に流す生ごみ粉砕装置であり、通常流し台のシンクの下に設置される。また、このディスポーザから排出された粉砕生ごみを含む液をディスポーザ排水と呼んでいる。
ディスポーザ排水の汚濁濃度は、図１に示す「標準生ごみ」と呼ばれる組成の生ごみを、ディスポーザで粉砕した時の排水を基に設定されている。この標準生ごみディスポーザ排水の汚濁負荷濃度、及び汚濁負荷量は、平成９年３月に建設省建築研究所が発行した「ディスポーザによる生ごみリサイクルシステムの開発（平成６年度〜平成９年度）報告書」によると、それぞれ図２及び図３の通りである。
【０００８】
また、流量調整機能を有する小規模浄化槽とは、流量調整比（１時間当りの最大移送水量／日平均汚水量）が３．０以下である浄化槽を差している。
【０００９】
次に、図面を参照して、本発明のディスポーザ排水対応型浄化槽に用いることができる、地下埋設型の小規模浄化槽の一例を説明する。
図４は、地下埋設型の小規模浄化槽の１実施例を示す概略断面図である。先ず構造について説明すると、浄化槽は、嫌気処理槽第１室２１、嫌気処理槽第２室２２、好気処理槽３０、処理水槽（沈殿槽）４０並びに消毒槽３３を備えている。
図４では、外槽の断面形状が略四角形状のものを用いているが、特に限定されるものではなく、円形状、楕円形状等のものを用いることができる。また、外槽の材質にはジシクロペンタジエン系樹脂を用いているが、ＦＲＰ等の他の材料を用いてもよい。
【００１０】
嫌気処理槽２１、２２に設けられている濾床２３の形状は、特に限定するものではなく、ヘチマ様、波板状、多孔質状等の板状部材、蜂の巣状（ハニカムコア）部材などが好ましく用いられる。また、骨格球状、網様円筒状部材等も用いることができる。尚、濾床２３は嫌気処理槽第２室２２にだけ設けてもよく、又は嫌気処理槽第１室２１及び嫌気処理槽第２室２２の両室から除くこともできる。
【００１１】
好気処理槽３０は、上部に生物反応室９、下部に濾過室１０を備えている。尚、図４に示す小規模浄化槽では、生物反応室９と濾過室１０とは上下に配置されているが、この２室の位置関係はこれに限るものではなく水平方向に配置されても良い。また、好気処理槽３０の下流側には好気処理槽３０で処理された液を嫌気処理槽第１室２１に移送するためのエアリフトポンプ３１を設けている。
【００１２】
生物反応室９には生物反応床９ａとその下方に生物反応用の散気部材１１を設けている。生物反応床９ａには、流入液中の有機物を好気的に処理する微生物が付着する濾材（微生物担体、微生物付着材、接触材）を充填している。尚、生物反応床９ａは流動床でも固定床でもよい。
【００１３】
濾材の形状は、板状、網板状、ヘチマ状、多孔質状、筒状、棒状、骨格球状、紐状、更には粒状、不定形な塊状、立方体状、繊維塊状等の種々の形状に加工したものを用いることができる。また、その基材としては、例えばポリ塩化ビニル、ポリエステル、ポリ塩化ビニリデン、ポリビニルフォルマール、ポリウレタン、メラミン樹脂等の合成樹脂製加工物、セラミックス、珪砂等の無機製加工物、アンスラサイト等の化石加工物、活性炭等で、比重約１又は１以上のもの、ポリエチレン、ポリプロピレン等のポリオレフィン系樹脂、ポリスチレン等の比重約１又は１以下のもののいずれも用いることができる。
【００１４】
濾過室１０には、濾材を充填した濾過床１０ａを形成させて、流入液中のＳＳを捕捉除去する。充填する濾材としては、液中で浮上するものを用いることができるが、好ましくは沈降性濾材である。沈降性濾材には、例えば、ポリ塩化ビニル、ポリエステル、ポリ塩化ビニリデン、ポリビニルフォルマール、ポリウレタン、メラミン樹脂等の合成樹脂製加工物、セラミックス、珪砂等の無機製加工物、アンスラサイト等の化石加工物、活性炭等の、比重約１又は１以上のもの、又はポリエチレン、ポリプロピレン等のポリオレフィン系樹脂、ポリスチレン等に充填剤を添加して比重約１又は１以上に調整したものがあり、これを粒状、塊状、筒状、網状、棒状、繊維塊状等、更には多孔質状等に成形、加工したものでもよい。
【００１５】
濾過床１０ａの下方には、濾過床１０ａを洗浄するための洗浄用散気部材１２が配され、これは空気を供給するブロワ３５に接続されている。また、濾過床１０ａに捕捉されたＳＳを剥離した際に生じる洗浄排水４を嫌気処理槽第１室２１に移送するための洗浄排水引抜きポンプ１４を設けている。
【００１６】
このような小規模浄化槽にディスポーザ排水を流入させた場合には、図３に示すように、ＢＯＤ負荷量２７．５ｇ／（人・日）分の汚濁負荷量が増加する。通常の浄化槽のＢＯＤ負荷量は、４０ｇ／（人・日）なので、ディスポーザ排水の流入により、ＢＯＤ負荷量は、（４０＋２７．５）／４０＝１．６９倍に増加する。
【００１７】
このため、ディスポーザ排水対応型浄化槽に小規模浄化槽の人槽をそのまま適用した場合には、小規模浄化槽の所期の処理性能を確保することは困難である。そこで、この小規模浄化槽の外槽をディスポーザ排水対応型浄化槽に適用するための条件について鋭意検討を行った結果、ディスポーザ排水対応型浄化槽の処理対象人員の１．４倍以上２．０倍以下に相当する小規模浄化槽の人槽の外槽を用いれば、所期の処理性能を確保できるとの結論に至ったので、以下にその詳細を説明する。
【００１８】
小規模浄化槽の外槽をディスポーザ排水対応型浄化槽に適用するために、ディスポーザ排水の流入による汚濁負荷の増加分に対応するのに必要な槽容量の増加分を各単位装置毎に検討した。
先ず、嫌気処理槽について説明する。嫌気処理槽に求められる機能は、（Ａ）１年間で生成する汚泥の貯留、（Ｂ）流入する固形物の分離、（Ｃ）亜硝酸性窒素および硝酸性窒素の脱窒等である。これらのうち、（Ｂ）については、ディスポーザ排水が流入しても、固液分離機能に影響を与える水量負荷が１．０２５倍にしか増加しないので、ディスポーザ排水が流入しても固液分離機能に与える影響は少ない。また、（Ｃ）については、ディスポーザ排水の流入により、脱窒性能を確保するための重要な因子であるＢＯＤ／Ｎ比（流入窒素量に対する流入ＢＯＤ量の割合）が、約４．４から約６．５に増加するので、かえって有利となる。従って、これらのなかで、嫌気処理槽２０の必要容量を算出するに当り、最も重要な要素は（Ａ）の汚泥貯留機能である。
ディスポーザ排水を流入させた場合、及び、流入させない場合の嫌気処理槽の汚泥貯留状況について、検討した結果を図５に示す。図５は、ディスポーザ排水の有無による汚泥貯留状況を１年間経過させた後に測定した結果である。図５より、ディスポーザ排水を一般の浄化槽に入れて処理した場合の汚泥転換率（生成ＳＳ量／除去ＢＯＤ量）は、０．４５であり、ディスポーザ排水が流入しない場合の汚泥転換率０．４４と比較してほぼ同等であるとの結果を得ている。よって、ディスポーザ排水のＢＯＤ負荷量の増加分に比例して、生成する汚泥重量も増加する。一方、汚泥容量として見ると、ディスポーザ排水を流入させた場合、汚泥が嫌気処理槽の上部に浮上し、スカムとして濃縮されやすくなっており、結果としてディスポーザ排水を入れたことによる汚泥貯留容量の増加分は約１．２倍であることが分かった。
従って、ディスポーザ排水対応浄化槽の嫌気処理槽は、小規模浄化槽の嫌気処理槽の１．２倍以上の容量とすることにより１年分の汚泥を貯留でき、嫌気処理槽に求められる処理機能を確保できる。
【００１９】
次に好気処理槽について説明する。好気処理槽３０に求められる機能は、（Ａ）ＢＯＤ成分の酸化分解、（Ｂ）アンモニア性窒素の硝酸性窒素への硝化（高度処理型浄化槽の場合）等であり、槽内に濾過部を備えている場合には、これに（Ｃ）ＳＳ成分の濾過分離が加えられる。
図３に示すように、ディスポーザ排水が流入した場合のＢＯＤ負荷量の増加分は、１．６９倍である。しかしながら、図２に示すように、ディスポーザ排水のＢＯＤ成分は、非溶解性ＢＯＤ４，２００ｍｇ／Ｌ、溶解性ＢＯＤ１，３００ｍｇ／Ｌと、殆どが非溶解性ＢＯＤである。この非溶解性ＢＯＤは嫌気処理槽の濾床に捕捉もしくは槽底部に沈殿し、或いはスカムとして浮上分離されることにより殆どが除去され、この除去された非溶解性ＢＯＤの一部のみが、時間の経過とともに徐々に溶出してくる。我々の検討結果によれば、ディスポーザ排水を流入させた場合の好気処理槽への流入水のＢＯＤ濃度は約４０ｍｇ／Ｌであり、ディスポーザ排水の流入なしの場合のＢＯＤ濃度３０ｍｇ／Ｌと比較して、約１．３３倍にしか増加していない。従って、この溶出分を加味した場合においても、ディスポーザ排水の流入によるＢＯＤ負荷の増加分は、約１．３３倍程度である。
従って、ディスポーザ排水の流入に対応するために必要な好気処理槽の容量は、ディスポーザ排水が流入しない小規模浄化槽の必要容量の約１．３３倍程度あれば良い。
また、ディスポーザ排水が流入することによるＴ−Ｎ成分の増加分は、図３より、１．１６倍程度なので、ディスポーザ排水を流入させて窒素成分を除去する場合においても、上記と同様である。
なお、好気処理槽に充填する濾材の表面積を増やして槽内の微生物量を高めたり、好気処理槽に送る空気量を増加させたり、好気処理槽３０の前段に流量調整機能を付加したりすれば、更に安定した処理水質を得ることができ、また、好気処理槽の容量をより少なくすることができる。
【００２０】
処理水槽（沈殿槽）に求められる機能は、主に処理水の貯留であるが、沈殿槽とする場合には、好気処理槽で生成したＳＳ成分の固液分離機能が求められる。処理水槽（沈殿槽）の固液分離機能は、通常、水面積負荷（沈殿槽の水平方向の断面積当りに流入する水量の負荷）、越流堰負荷（沈殿槽から放流される時の堰長さに対する水量の負荷）等の、水量負荷で評価される。
図３より、ディスポーザ排水が流入した場合の水量負荷の増加分は、１．０２５倍であるので、ディスポーザ排水が流入した場合に固液分離機能を確保するためには、処理水槽（沈殿槽）の水平方向の断面積、及び越流堰の長さを１．０２５倍にすればよい。
【００２１】
消毒槽については、昭和５５年建設省告示第１２９２号「屎尿浄化槽の構造基準」によると、所定の消毒機能を確保するための消毒槽の容量は、滞留時間１５分以上となる容量とすることと記されている。ディスポーザ排水が流入した場合の水量負荷の増加分は、１．０２５倍であるので、この場合に消毒機能を確保するためには、消毒槽の容量を１．０２５倍にすればよい。
【００２２】
以上をまとめると、ディスポーザ排水が流入による汚濁負荷増加分に対応するための各単位装置の条件は、ディスポーザ排水が流入しない小規模浄化槽と比較して、嫌気処理槽は１．２倍、好気処理槽は１．３３倍、消毒槽３３は１．０２５倍の容量があればよく、処理水槽（沈殿槽）については、これに固液分離機能を確保する場合には、処理水槽（沈殿槽）の水平方向の断面積、及び越流堰の長さを１．０２５倍にすればよい。
従って、ディスポーザ排水対応型浄化槽に小規模浄化槽の外槽を用いる場合には、ディスポーザ排水対応型浄化槽の処理対象人員の少なくとも１．４倍以上の小規模浄化槽の人槽の外槽を用いれば、所期の性能を得ることができる。より具体的には、ディスポーザ排水対応浄化槽の５人槽、７人槽、１０人槽には、各々小規模浄化槽の７人槽、１０人槽、１４人槽以上の外槽を用いればよい。ただし、あまり大きい外槽を用いると浄化槽の設置面積が大きくなって施工性が悪くなり、浄化槽自体のコストアップに繋がってしまう。従って、ディスポーザ排水対応型浄化槽の処理対象人員の２．０倍以下の小規模浄化槽の人槽の外槽を用いることが好ましく、更に好ましくは１．８倍以下である。
尚、小規模浄化槽の外槽をディスポーザ排水対応型浄化槽に適用する際に、内部仕様を変更しないでそのまま用いても良いが、例えば、各単位装置を区分している仕切板の位置、濾材の種類や充填量、好気処理槽に送気するための散気管の位置、空気量等を変更したり、流入バッフル、邪魔板や流量調整機能を付加したり、好気処理槽に送る空気にオゾンを混入させたりする等の内部仕様の変更を行って、各単位装置の処理機能をより高めるもできる。
【００２３】
次に、図面を参照して、本発明のディスポーザ排水対応型浄化槽に用いることができる、流量調整機能を備える小規模浄化槽の実施例を説明する。図６は、流量調整機能を有する小規模浄化槽の１実施例を示す概略断面図である。先ず構造について説明すると、小規模浄化槽は、嫌気処理槽第１室２１、嫌気処理槽第２室２２、好気処理槽３０、処理水槽（沈殿槽）４０並びに消毒槽３３を備えている。また、嫌気処理槽第１室２１の上部には、流量調整部３を設けており、嫌気処理槽第１室２１の移流部１３には流量調整装置７が設けてある。
【００２４】
ここで、嫌気処理槽２１、２２、好気処理槽３０、処理水槽（沈殿槽）４０並びに消毒槽３３については図４にて述べたものと同じである。
【００２５】
流量調整部３は、図６では嫌気処理槽第１室２１の上部のＬ．Ｗ．ＬからＨ．Ｗ．Ｌの間に設けられているが、嫌気処理槽第１室２１と嫌気処理槽第２室２２の両室にわたって設けてもよい。
流量調整装置７は、Ｌ．Ｗ．Ｌの液水準に設けた吸込口８から槽内液を汲み上げる揚水ポンプ５と、この揚水ポンプ５に接続されてなるもので汲み上げた液の一部を嫌気処理槽第２室２２に移送するとともに、余剰液を移流部１３内へ戻す水量調整装置６とを有している。
嫌気処理槽第１室２１の水位は、汚水の流入量が揚水ポンプ５の送液量よりも多いと上昇し、少ないと下降し、Ｌ．Ｗ．ＬとＨ．Ｗ．Ｌとの間を上下する。このとき、流量調整部３の容量は、汚水の流入量に応じて、Ｈ．Ｗ．Ｌを超えないように設定されている。
図６では、揚水ポンプ５はエアリフトポンプ式としたが、エアリフトポンプ式に代えて、密閉容器の空気圧送による間欠定量ポンプや電動ポンプ等を用いてもよい。また、水量調整装置６は、汲み上げた液を堰高さの調整により分配する方式、オリフィスを用いて分配する方式、バルブを用いて空気量を調整することにより揚水量を調整する方式等、いずれの方式を用いることができるが、好ましくは、液流量の調整が容易な堰高さ調整方式である。
【００２６】
上記のような、流量調整機能を有する浄化槽では、流入汚水の水量変動を流量調整部３で吸収することができるので、嫌気処理槽２０や処理水槽（沈殿槽）４０における固形物の分離性能を大幅に高めることができる。また、好気処理槽３０においても一定流量以下の水量しか送られないので、短時間に嫌気処理槽２０の液が流入して処理水質が悪化する可能性が低くなり、安定した処理水質を得ることが可能となる。
従って、流量調整機能を有する浄化槽では、ディスポーザ排水の流入による各単位装置への影響を極めて低くすることができ、結果として容量をさほど増加しなくても安定した処理水質を得ることができるようになる。
このことから、ディスポーザ排水対応型浄化槽に流量調整機能を有する小規模浄化槽の外槽を用いる場合には、ディスポーザ排水対応型浄化槽の処理対象人員の１．０倍を超え１．５倍以下の小規模浄化槽の人槽の外槽を用いれば、所期の性能を得ることができる。この場合、各単位装置を区分している仕切板の位置を変更したり取り除くなどして好気処理槽３０の容量を増加させたり、好気処理槽３０の濾材の表面積を増加させたり、好気処理槽３０に送気するための空気量を増加させたりすると、更に安定した処理水質を得ることができる。
【００２７】
また、図４、図６に示すように、好気処理槽３０が生物反応室９と濾過部１０を有する場合には、生物反応室９と濾過部１０との容量比を６．５〜９．０：３．５〜１．０に設定することが好ましく、更に好ましくは、７．５〜８．５：２．５〜１．５である。このような容量比にすると、濾過部１０における濾過機能を確保しつつ、好気処理槽３０全体の好気処理機能を最大限に高めることができるので、安定した処理水質を得ることができる。
【００２８】
以下、図４を用いて汚水の処理について説明する。ディスポーザ排水を含む汚水は、汚水流入口２から嫌気処理槽第１室２１に入り、流入汚水中の固形物の分離と嫌気処理が行われる。嫌気処理槽第１室２１からの移流液は、嫌気処理槽第２室２２に入り、更なる固形物の分離と嫌気処理が行われる。
【００２９】
嫌気処理槽第２室２２からの移流液は、好気処理槽３０に入り、生物反応室９において嫌気処理槽第２室２２からの移流液中の有機物を好気的に生物分解し、生成したＳＳを濾過室１０で捕捉濾過する。
【００３０】
濾過床１０ａは、時間の経過とともにＳＳが蓄積して目詰まりするので、定期的又は適宜に（逆）洗浄する。この洗浄は、ブロワ３５の空気を洗浄用散気部材１２から吐出させ、濾過床１０ａをバブリングするとともに、ブロワ３５の空気の一部を洗浄排水引抜きポンプ（エアリフトポンプ）１４にも供給する。剥離したＳＳは、槽内液とともに洗浄排水となって濾過床１０ａを下降し、洗浄排水引抜きポンプ１４によって洗浄排水排出部材１４ａを経て、嫌気処理槽第１室２１へ戻る。濾過床１０ａの洗浄は、通常、一般家庭で汚水が排出されることが少ない深夜に行うことが好ましい。好気処理槽３０からの移流液は、処理水槽４０を経て、消毒槽３３に入り薬筒３８と接触させて消毒した後、処理水として放流口から放流される。
【図面の簡単な説明】
【００３１】
【図１】標準生ごみ湿潤重量一覧表を示す。
【図２】ディスポーザ排水の汚濁負荷濃度を示す。
【図３】ディスポーザ排水の汚濁負荷量を示す。
【図４】本発明の実施例であるディスポーザ排水対応型浄化槽に用いることができる小規模浄化槽の一例を示す概略断面図である。
【図５】ディスポーザ排水の有無による汚泥貯留状況を１年間経過させた後に測定した結果を示す。
【図６】本発明の他の実施例であるディスポーザ排水対応型浄化槽に用いることができる、流量調整機能を有する小規模浄化槽の一例を示す概略断面図である。
【符号の説明】
【００３２】
２…汚水流入口、３…流量調整部、４…洗浄排水、５…揚水ポンプ、６…水量調整装置、７…流量調整装置、８…吸込口、９…生物反応室、９ａ…生物反応床、１０…濾過室、１０ａ…濾過床、１１…散気部材、１２…洗浄用散気部材、１３…移流部、１４…洗浄排水引抜きポンプ、１４ａ…洗浄排水排出部材、２０…嫌気処理槽、２１…嫌気処理槽第１室、２２…嫌気処理槽第２室、２３…濾床、３０…好気処理槽、３１…エアリフトポンプ、３３…消毒槽、３５…ブロワ、３８…薬筒、３９…マンホール、４０…処理水槽
【図１】
2006043556.tif 000003
【図２】
2006043556.tif 000004
【図３】
2006043556.tif 000005
【図４】
2006043556.tif 000006
【図５】
2006043556.tif 000007
【図６】
2006043556.tif 000008